(57)【要約】【課題】風景などを撮影する通常撮影と自分撮りとの２方向の撮像を１つの撮像手段で実現する構成を薄型の電子機器内に収めること。【解決手段】カメラモジュール１００は、光を電気信号に変換して画像を撮像する受光部１２０と、受光部１２０の受光部方向に略垂直な撮影方向を回転軸として回転することにより、撮影方向または撮影方向に対して反対方向のいずれかからの光を選択して前記受光部方向に反射させる反射部１１０と、撮影方向を回転軸として反射部１１０を回転させる回転部１３０と、を備える。【選択図】図３
2017116814.tif 000002
【特許請求の範囲】
【請求項１】
光を電気信号に変換して画像を撮像する受光部と、
前記受光部の受光部方向に略垂直な撮影方向を回転軸として回転することにより、前記撮影方向または前記撮影方向に対して反対方向のいずれかからの光を選択して前記受光部方向に反射させる反射部と、
前記撮影方向を回転軸として前記反射部を回転させる回転部と、を備えるカメラモジュール。
【請求項２】
前記反射部は、２つのプリズムの反射面を互いに向い合せた複合プリズムである請求項１に記載のカメラモジュール。
【請求項３】
前記反射部は、表面と裏面の両面で光を反射するミラーである請求項１に記載のカメラモジュール。
【請求項４】
前記２つのプリズムは、屈折特性が互いに異なる請求項２に記載のカメラモジュール。
【請求項５】
光を電気信号に変換して画像を撮像する受光部と、
前記受光部の受光部方向及び撮影方向に対して垂直な方向で平行移動することにより、前記撮影方向または前記撮影方向に対して反対方向のいずれかからの光を選択して前記受光部方向に反射させる反射部と、
前記垂直な軸で前記反射部を移動させる移動部と、を備えるカメラモジュール。
【請求項６】
前記反射部は、２つのプリズムの反射面同士が直交して配置されたプリズムである請求項５に記載のカメラモジュール。
【請求項７】
前記反射部は、２つのミラーの反射面同士が直交して配置されたミラーである請求項５に記載のカメラモジュール。
【発明の詳細な説明】
【技術分野】
【０００１】
本発明はカメラモジュール、撮像装置及び通信装置に関し、特に薄型のカメラモジュール、撮像装置及び通信装置に関する。
【背景技術】
【０００２】
近年、携帯通信端末にカメラが搭載されるようになってきており、中でも、風景や人物を撮影できるだけでなく、撮影者自身を撮影する自分撮り（以下自分撮りと称する）の機能を有するものが普及してきている。風景などを撮影する通常撮影と自分撮りとでは、撮影方向が異なるため、以下のような様々な構成で、両撮影方向の撮影の実現化が図られている。
【０００３】
一方、スマートフォンが普及する以前のコンパクトデジタルカメラの時代から、主撮影と同等の画質性能で、背面液晶モニター画面を観察しながら自撮りできるようにしたいという要求があった。この要求に応える方法として、特許文献１〜３に示す技術が提案されている。
【０００４】
特許文献１には、主撮影時と自撮り時で撮像手段を共用するために、入射光反射手段で反射させた後の入射光軸を中心に入射光反射手段を回転させることにより、撮像手段を共用したまま主撮影と自撮りを行えるようにした装置が記載されている。
【０００５】
また、特許文献２には、主撮影時と自撮り時で撮像手段を共用するために、入射光反射手段が備える反射面が撮影画面の上下方向に回転するように入射光反射手段を回転させることにより、撮像手段を共用したまま主撮影と自撮りを行えるようにした装置が記載されている。
【０００６】
更に特許文献３には、主撮影時と自撮り時で撮像手段を共用するために、製品本体の筐体内部に配置したカメラモジュール全体を回転させることにより、撮像手段を共用したまま主撮影と自撮りを行えるようにした装置が記載されている。
【０００７】
以上のように、コンパクトデジタルカメラにおいては、通常撮影と自分撮りとを可能とする技術が提案されていた。
【先行技術文献】
【特許文献】
【０００８】
【特許文献１】特開平１１−４３７０号公報
【特許文献２】特開２００５−２２１８２２号公報
【特許文献３】米国特許明細書第７３４５８３３号
【発明の概要】
【発明が解決しようとする課題】
【０００９】
しかしながら、仮に、特許文献１の構成を薄型化するスマートフォンの筐体に適用した場合、薄型の筐体に光学ユニットを収めた構成が想定される。図１は、薄型の筐体に光学ユニットを収めた一例を示す概略図である。このような構成では、図１に示すように、光学ユニットを回転させる途中で、最大回転半径がカメラモジュール（またはスマートフォン）の厚さを超えてしまう。
【００１０】
また、特許文献２の構成を薄型化するスマートフォンの筐体に適用した場合も、特許文献２の図４に示すように、ミラーを回転させる途中で、撮像装置本体より厚みが増してしまうので、ミラー部分が撮像装置本体より厚みのある形状となる。
【００１１】
更に特許文献３では、撮影光学系を全て含むカメラモジュール全体をスマートフォンの筐体内部で回転させているので、光学系全体の長さがスマートフォンの筐体の厚さより大きくなってしまう。
【００１２】
このように、風景などを撮影する通常撮影と自分撮りとの２方向の撮像を１つの撮像手段で実現する構成を薄型の電子機器内に収めることが困難であるという問題がある。
【課題を解決するための手段】
【００１３】
本発明のカメラモジュールは、光を電気信号に変換して画像を撮像する受光部と、前記受光部の受光部方向に略垂直な撮影方向を回転軸として回転することにより、前記撮影方向または前記撮影方向に対して反対方向のいずれかからの光を選択して前記受光部方向に反射させる反射部と、前記撮影方向を回転軸として前記反射部を回転させる回転部と、を備えるようにした。
【００１４】
本発明のカメラモジュールによれば、受光部の受光部方向に略垂直な撮影方向を回転軸として回転することにより、撮影方向または撮影方向に対して反対方向のいずれかからの光を選択して受光部方向に反射させる反射部を有することにより、反射部の回転による形状がカメラモジュールの主面方向に変化するので、カメラモジュールの厚さ方向に形状は変化することがなく、風景などを撮影する通常撮影と自分撮りとの２方向の撮像を１つの撮像手段で実現する構成を薄型の電子機器内に収めることができる。
【００１５】
好ましくは、本発明のカメラモジュールは、前記反射部は、２つのプリズムの反射面を互いに向い合せた複合プリズムであるようにした。
本発明のカメラモジュールによれば、空気より屈折率が高いプリズムにより光学的距離は長くなり、光路の距離を稼ぐことができる。
【００１６】
好ましくは、本発明のカメラモジュールは、前記反射部は、表面と裏面の両面で光を反射するミラーであるようにした。
本発明のカメラモジュールによれば、収差を抑制することができる。
【００１７】
好ましくは、本発明のカメラモジュールは、２つの直角プリズムは、屈折特性が互いに異なるようにした。
本発明のカメラモジュールによれば、２つのプリズムの反射面を互いに向い合せた複合プリズムについて、屈折特性が互いに異なるプリズムを向い合せることにより、焦点距離の異なる撮像を行うことができる。
【００１８】
本発明のカメラモジュールは、光を電気信号に変換して画像を撮像する受光部と、前記受光部の受光部方向及び撮影方向に対して垂直な軸で移動することにより、前記撮影方向または前記撮影方向に対して反対方向のいずれかからの光を前記受光部方向に反射させる反射部と、前記垂直な軸で前記反射部を移動させる移動部と、を備えるようにした。
【００１９】
本発明のカメラモジュールによれば、受光部方向及び撮影方向に対して垂直な方向で平行移動することにより、撮影方向または撮影方向に対して反対方向のいずれかからの光を選択して受光部方向に反射させる反射部を備えることにより、反射部の平行移動による形状の変化がカメラモジュールの厚さ方向に及ぶことがないので、風景などを撮影する通常撮影と自分撮りとの２方向の撮像を１つの撮像手段で実現する構成を薄型の電子機器内に収めることができる。
【００２０】
好ましくは、本発明のカメラモジュールは、前記反射部は、２つの直角プリズムの斜面同士が直交して配置されたプリズムであるようにした。
本発明のカメラモジュールによれば、空気より屈折率が高いプリズムにより光学的距離は長くなり、光路の距離を稼ぐことができる。
【００２１】
好ましくは、本発明のカメラモジュールは、前記反射部は、２つのミラーの反射面同士が直交して配置されたミラーであるようにした。
本発明のカメラモジュールによれば、収差を抑制することができる。
【発明の効果】
【００２２】
本発明のカメラモジュール、撮像装置及び通信装置によれば、風景などを撮影する通常撮影と自分撮りとの２方向の撮像を１つの撮像手段で実現する構成を薄型の電子機器内に収めることができる。
【図面の簡単な説明】
【００２３】
【図１】薄型の筐体に光学ユニットを収めた一例を示す概略図である。
【図２】実施の形態１にかかるカメラモジュールの構成の一例を示す主面透視図である。
【図３】実施の形態１にかかるカメラモジュールの構成の一例を示す斜視図である。
【図４】実施の形態１にかかるカメラモジュールの構成の一例を示す断面図である。
【図５】実施の形態１にかかるカメラモジュールの構成の一例を示す斜視図である。
【図６】実施の形態１にかかるカメラモジュールの構成の一例を示す断面図である。
【図７】実施の形態１にかかるカメラモジュールを備える電子機器の一例を示す正面透視図である。
【図８】実施の形態１にかかるカメラモジュールを備える電子機器の一例を示す断面透視図である。
【図９】実施の形態１にかかるカメラモジュールを備える電子機器の一例を示す背面透視図である。
【図１０】実施の形態２にかかるカメラモジュールの反射部の一例を示す断面図である。
【図１１】実施の形態３にかかるカメラモジュールの構成の一例を示す斜視図である。
【図１２】実施の形態３にかかるカメラモジュールの構成の一例を示す斜視図である。
【図１３】実施の形態３にかかるカメラモジュールの構成の一例を示す側面図である。
【発明を実施するための形態】
【００２４】
（実施の形態１）
以下、図面を参照して本発明の実施の形態について説明する。図２は、実施の形態１にかかるカメラモジュールの構成の一例を示す主面透視図である。図３及び５は、実施の形態１にかかるカメラモジュールの構成の一例を示す斜視図である。図４及び６は、実施の形態１にかかるカメラモジュールの構成の一例を示すIV-IV断面図である。各図において、撮影方向（風景等を撮影する方向）及び撮影方向に対して反対方向（自撮り方向）をＸ軸、受光部１２０の受光部方向をＹ軸、Ｘ軸及びＹ軸に垂直な方向をＺ軸方向としている。
【００２５】
最初に、図２〜６に示すカメラモジュール１００の構成について説明し、次に撮影方向を切り換える動作について説明する。
【００２６】
図２〜６において、カメラモジュール１００は、反射部１１０と、受光部１２０と、回転部１３０とを備える。そして、反射部１１０は、プリズム１１１と、プリズム１１２と、ギア１１３を備える。また、受光部１２０は、手ぶれ補正部１２１と、焦点合わせ部１２２と、ミラー１２３と、受光素子１２４を備える。そして回転部１３０は、モーター１３１と、ウォーム１３２と、ウォームホイール１３３と、ギア１３４と、ギア１３５を備える。
【００２７】
まず、反射部１１０の構成について説明する。
プリズム１１１及びプリズム１１２は、光を透過する材料で構成され、斜面部分において光を反射する反射面を有するプリズムである。
【００２８】
プリズム１１１は、撮影方向（メインカメラ側）からの光を受光部方向に反射させるプリズムである。例えば、プリズム１１１は、対物側の面と受光側の面とが略直交し、反射面が対物側の面と受光側の面に対して、それぞれ４５度の角度となる形状を有するプリズムである。また、例えばプリズム１１１は、対物側を凹形状とし、受光側を凸形状としてもよい。
【００２９】
プリズム１１２は、撮影方向に対して反対方向（インカメラ側）からの光を受光部方向に反射させるプリズムである。例えば、プリズム１１２は、プリズム１１１と同様に、対物側の面と受光側の面とが略直交し、反射面が対物側の面と受光側の面に対して、それぞれ４５度の角度となる形状を有するプリズムである。また、例えばプリズム１１２も、対物側を凹形状とし、受光側を凸形状としてもよい。
【００３０】
そして、図４に示すようにプリズム１１１とプリズム１１２とは、反射面となる斜面を互いに向い合せて固着されている。そして、プリズム１１１とプリズム１１２の対物側の面が互いに略平行な配置となり、プリズム１１１とプリズム１１２の受光側の面も互いに略平行な配置となるように固着されている。
【００３１】
ギア１１３は、外周に歯を有し、中空のギアである。ギア１１３は、中空部分で撮影方向からの光を通過し、光をプリズム１１１及びプリズム１１２の反射面に導く位置でプリズム１１１及びプリズム１１２に固定されている。また、ギア１１３は、外周の半分に歯を有し、残りの半分に歯を有しないことにより、回転角を１８０度以内に規定することができる。すなわち、この回転角は、プリズム１１１が撮影方向からの光を受光部方向に反射させる回転位置から、プリズム１１２は、撮影方向に対して反対方向からの光を受光部方向に反射させる回転位置までの１８０度に規定される。
【００３２】
そして、プリズム１１１と、プリズム１１２と、ギア１１３を含む反射部１１０は、撮影方向（Ｘ軸）を回転軸として、回転自在に構成されている。例えば、反射部１１０の外周に軸受けを備えることにより、反射部１１０は、回転自在とすることができる。
【００３３】
これらの構成により、反射部１１０は、受光部１２０の受光部方向に略垂直な撮影方向を回転軸として、回転部１３０により回転する。そして、反射部１１０は、回転により、撮影方向（風景等を撮影する方向）または撮影方向に対して反対方向（自撮り方向）のいずれかからの光を選択して受光部方向に反射させる。
【００３４】
すなわち、受光部方向に略垂直な撮影方向を回転軸として回転することにより、反射部１１０は、撮影方向からの光を受光部方向に反射させる状態から、撮影方向に対して反対方向からの光を受光部方向に反射させる状態に変化することができる。また逆の変化も可能である。
【００３５】
次に、受光部１２０の構成について説明する。
手ぶれ補正部１２１は、反射部１１０と焦点合わせ部１２２との間の光路に配置され、撮像時の手ぶれ補正を行う。例えば、手ぶれ補正部１２１は、振動ジャイロ機構を備えた補正レンズを組み込み、ブレを打ち消す方向に補正レンズを動かす事によって光軸を補正する。こ光学式手ぶれ補正を行う。
【００３６】
焦点合わせ部１２２は、手ぶれ補正部１２１とミラー１２３との間の光路に配置され、撮像における焦点を合わせる。例えば、焦点合わせ部１２２は、レンズと、レンズを受光部方向に移動させるアクチュエータにより焦点を調整する。また、焦点合わせ部は液体レンズを含んでも良い。
【００３７】
ミラー１２３は、プリズム１１１、プリズム１１２、手ぶれ補正部１２１及び焦点合わせ部１２２を経由した光を反射して、受光素子１２４の方向に光を導く。
【００３８】
受光素子１２４は、受光した光を電気信号に変換して、画像を撮像する。例えば、受光素子１２４は、ＣＣＤ（Charge-Coupled Device）イメージセンサまたはＣＭＯＳ（Complementary Metal-Oxide-Semiconductor）イメージセンサ等で構成される。
【００３９】
例えば、受光素子１２４は、カメラモジュール１００の主面に平行な電子回路基板上に配置され、ミラー１２３により反射した光を受光する。なお、受光素子１２４の受光面が受光軸に垂直となるように、受光素子１２４を配置した場合、ミラー１２３は不要である。
【００４０】
これらの構成により、受光部１２０は、手ぶれ補正及び焦点を合わせて、撮像し、画像データを得る。
【００４１】
そして、回転部１３０について説明する。
モーター１３１は、電力により磁場を発生させて、ウォーム１３２を回転させる。例えばモーター１３１はステッピングモーターで構成されてもよい。
【００４２】
ウォーム１３２は、ネジ状の歯車であり、モーター１３１の回転軸に固定されている。
ウォームホイール１３３は、斜歯歯車であり、ギア１３４と同じ回転軸で固着している。そして、ウォーム１３２のネジ状の歯車と、ウォームホイール１３３斜歯歯車が噛み合うことにより、モーター１３１からのＺ軸回転をＸ軸回転に変換する。
【００４３】
ギア１３４は、外周に歯を有する歯車であり、ギア１３５と噛み合うように配置されている。
ギア１３５は、外周に歯を有する歯車であり、ギア１３４及びとギア１１３噛み合うように配置されている。
【００４４】
これら構成により、回転部１３０は、撮影方向（Ｘ軸）を回転軸として反射部１１０を回転させることができる。
【００４５】
以上の反射部１１０、受光部１２０及び回転部１３０構成により、カメラモジュール１００は、撮影方向を回転軸として反射部１１０を回転させることにより、撮影方向を切り換えることができる。
【００４６】
次に、撮影方向を切り換える動作について説明する。風景等、撮影方向を撮像する場合、図３及び４に示すように、プリズム１１１が撮影方向の光を受光部方向に反射するように配置されている。すなわち、プリズム１１１とプリズム１１２のうち、プリズム１１１が受光部１２０側にある回転位置で配置されている。したがって、撮影方向からの光が、プリズム１１１により反射して、受光部方向に進み、受光部１２０に入射することができる。この結果、撮影方向の撮像（風景等の撮影）が可能となる。
【００４７】
ここで、自撮り方向、すなわち撮影方向と反対方向を撮影する場合、撮影方向を回転軸として反射部１１０を１８０度回転させる。回転の結果、図５及び６に示すように、プリズム１１１とプリズム１１２のうち、プリズム１１２が受光部１２０側にある回転位置で配置されている。したがって、撮影方向に対して反対方向からの光が、プリズム１１２により反射して、受光部方向に進み、受光部１２０に入射することができる。この結果、撮影方向に対して反対方向の撮像（自撮り）が可能となる。
【００４８】
このカメラモジュール１００を薄型の電子機器に搭載した例を図７〜９を用いて説明する。図７は、実施の形態１にかかるカメラモジュールを備える電子機器の一例を示す正面透視図である。また、図８は、実施の形態１にかかるカメラモジュールを備える電子機器の一例を示すVIII-VIII断面透視図である。そして、図９は、実施の形態１にかかるカメラモジュールを備える電子機器の一例を示す背面透視図である。
【００４９】
図７に示すように、カメラモジュール１００は、電子機器２００の筐体内部に配置される。そして、図７に示すように、電子機器２００の正面には、反射部１１０に対応する位置に開口を有する。同様に図９に示すように、電子機器２００の背面にも、反射部１１０に対応する位置に開口を有する。
【００５０】
一方、カメラモジュール１００は、背面側の開口を介して風景等を撮影する場合から、正面側の開口を介して自撮りする場合に切り換える場合、反射部１１０を回転させることになる。ここで、反射部１１０は撮影方向を回転軸として回転するので、反射部の回転による形状変化は、図８の断面図に示すカメラモジュール１００の厚さ方向（すなわち撮影方向、Ｘ軸）には及ぶことがない。
【００５１】
このように実施の形態１のカメラモジュールによれば、受光部の受光部方向に略垂直な撮影方向を回転軸として回転することにより、撮影方向または撮影方向に対して反対方向のいずれかからの光を選択して受光部方向に反射させる反射部を有することにより、反射部の回転による形状の変化がカメラモジュールの厚さ方向に及ぶことがないので、風景などを撮影する通常撮影と自分撮りとの２方向の撮像を１つの撮像手段で実現する構成を薄型の電子機器内に収めることができる。
【００５２】
また、実施の形態１のカメラモジュールによれば、２つのプリズムの反射面を互いに向い合せた複合プリズムとすることにより、空気より屈折率が高いプリズムにより光学的距離（光路長）は長くなり、光路の距離を稼ぐことができる。
【００５３】
（実施の形態２）
実施の形態１では、２つのプリズムの反射面を互いに向い合せた複合プリズムを用いて反射部を構成しているが、実施の形態２では、この２つのプリズムの屈折特性が互いに異なるように構成した例について説明する。
【００５４】
図１０は、実施の形態２にかかるカメラモジュールの反射部の一例を示す断面図である。図１０において、図２〜６と同一の構成については、同じ番号を付し、説明を省略する。図１０において、反射部１１０は、プリズム３１１と、プリズム３１２と、ギア１１３を備える。
【００５５】
プリズム３１１及びプリズム３１２は、光を透過する材料で構成され、斜面部分において光を反射する反射面を有するプリズムである。
【００５６】
プリズム３１１は、撮影方向からの光を受光部方向に反射させるプリズムである。例えば、プリズム３１１は、対物側の面と受光側の面とが略直交し、反射面が対物側の面と受光側の面に対して、それぞれ４５度の角度となる形状を有するプリズムである。
【００５７】
プリズム３１２は、撮影方向に対して反対方向からの光を受光部方向に反射させるプリズムである。例えば、プリズム３１２は、プリズム３１１と同様に、対物側の面と受光側の面とが略直交し、反射面が対物側の面と受光側の面に対して、それぞれ４５度の角度となる形状を有するプリズムである。
そして、プリズム３１１とプリズム３１２は、屈折特性が異なるように構成されている。
【００５８】
例えば、撮影方向から風景等の遠距離の撮像を行い、撮影方向に対して反対方向から自撮り等の近距離の撮像を行う場合、撮影方向用のプリズム３１１の焦点距離が、より望遠側となり、撮影方向に対して反対方向用のプリズム３１２の焦点距離がが、より広角側となるように構成される。
【００５９】
また例えば、プリズム３１１は、対物側を凹形状とし、受光側を凸形状とする。一方、プリズム３１２は、対物側を凸形状とし、受光側を凸形状とする。
【００６０】
このように実施の形態２のカメラモジュールによれば、２つのプリズムの反射面を互いに向い合せた複合プリズムについて、屈折特性が互いに異なるプリズムを向い合せることにより、焦点距離の異なる撮像を行うことができる。
【００６１】
なお、上記実施の形態では、２つのプリズムの対物面の形状が互いに異なっているが、屈折率の異なるプリズムの材質を組み合わせることにより、２つのプリズムの屈折特性を異ならせてもよい。
【００６２】
（実施の形態３）
実施の形態３では、２つのプリズムの反射面同士を直交して並列に配置し、受光部方向及び撮影方向に対して垂直な方向で平行移動することにより、撮影方向または撮影方向に対して反対方向のいずれかからの光を選択して受光部方向に反射させる。
【００６３】
図１１及び１２は、実施の形態３にかかるカメラモジュールの構成の一例を示す斜視図である。また、図１３は、実施の形態３にかかるカメラモジュールの構成の一例を示す側面図である。図１１〜１３において、図２〜６と同一の構成については、同じ番号を付し、説明を省略する。
【００６４】
図１１〜１３において、カメラモジュール４００は、反射部４１０と、受光部１２０と、平行移動部４２０とを備える。
【００６５】
反射部４１０は、プリズム４１１と、プリズム４１２とを備える。また、平行移動部４２０は、アクチュエータ４２１と、シャフト４２２と、を備える。
【００６６】
プリズム４１１及びプリズム４１２は、光を透過する材料で構成され、斜面部分において光を反射する反射面を有するプリズムである。
【００６７】
プリズム４１１は、撮影方向からの光を受光部方向に反射させるプリズムである。例えば、プリズム４１１は、対物側の面と受光側の面とが略直交し、反射面が対物側の面と受光側の面に対して、それぞれ４５度の角度となる形状を有するプリズムである。また、例えばプリズム４１１は、対物側を凹形状とし、受光側を凸形状としてもよい。
【００６８】
プリズム４１２は、撮影方向に対して反対方向からの光を受光部方向に反射させるプリズムである。例えば、プリズム４１２は、プリズム４１１と同様に、対物側の面と受光側の面とが略直交し、反射面が対物側の面と受光側の面に対して、それぞれ４５度の角度となる形状を有するプリズムである。また、例えばプリズム４１２も、対物側を凹形状とし、受光側を凸形状としてもよい。
【００６９】
そして、図１２〜１４に示すようにプリズム４１１とプリズム４１２とは、反射面同士を直交して並列に配置されている。そして、プリズム４１１とプリズム４１２とは、側面（すなわち、反射面、対物側の面、受光部側の面以外の面）を互いに向い合せて固着されている。そして、プリズム４１１とプリズム４１２の対物側の面が互いに略平行な配置となり、プリズム４１１とプリズム４１２の受光側の面が、同じく受光部側を向くように固着されている。
【００７０】
アクチュエータ４２１は、図１１〜１３におけるＺ軸方向にシャフト４２２を駆動するアクチュエータである。そして、アクチュエータ４２１は、シャフト４２２を介して受光部方向及び撮影方向に対して垂直な方向（図１２〜１４におけるＺ軸方向）に反射部４１０を平行移動させる。例えば、アクチュエータ４２１は、電磁力を利用したソレノイドアクチュエータが好適である。
【００７１】
シャフト４２２は反射部４１０の一断面に固定されており、アクチュエータ４２１からの動きを伝達する。
【００７２】
次に、撮影方向を切り換える動作について説明する。風景等、撮影方向を撮像する場合、図１１に示すように、プリズム４１１が撮影方向の光を受光部方向に反射するように配置されている。すなわち、プリズム４１１とプリズム４１２のうち、プリズム４１１が受光部１２０に対応する位置で配置される。したがって、撮影方向からの光が、プリズム４１１により反射して、受光部方向に進み、受光部１２０に入射することができる。この結果、撮影方向の撮像（風景等の撮影）が可能となる。
【００７３】
ここで、自撮り方向、すなわち撮影方向と反対方向を撮影する場合、受光部方向及び撮影方向に対して垂直な方向に反射部４１０を平行移動させる。平行移動の結果、図１２に示すように、プリズム４１１とプリズム４１２のうち、プリズム４１２が受光部１２０に対応する位置で配置される。したがって、撮影方向に対して反対方向からの光が、プリズム４１２により反射して、受光部方向に進み、受光部１２０に入射することができる。この結果、撮影方向に対して反対方向の撮像（自撮り）が可能となる。
【００７４】
このように実施の形態３のカメラモジュールによれば、受光部方向及び撮影方向に対して垂直な方向で平行移動することにより、撮影方向または撮影方向に対して反対方向のいずれかからの光を選択して受光部方向に反射させる反射部を備えることにより、反射部の平行移動による形状の変化がカメラモジュールの厚さ方向に及ぶことがないので、風景などを撮影する通常撮影と自分撮りとの２方向の撮像を１つの撮像手段で実現する構成を薄型の電子機器内に収めることができる。
【００７５】
なお、本発明は上記実施の形態に限られたものではなく、趣旨を逸脱しない範囲で適宜変更することが可能である。例えば、上記実施の形態では、反射部１１０をプリズムで構成しているが、表面と裏面の両面で光を反射するミラーを受光軸及び撮影方向に対して４５度の傾きを有する配置とし、撮影方向を回転軸としてミラーを回転させる構成であっても良い。このように。反射部１１０をミラーで構成することにより、収差を抑制することができる。
【００７６】
また、実施の形態３のプリズムの組合せを、実施の形態２と同様に互いに異なる屈折特性のプリズムの組合せとしてもよい。
【符号の説明】
【００７７】
１００、４００  カメラモジュール
１１０  反射部
１１１、１１２、３１１、３１２、４１１、４１２  プリズム
１１３、１３４、１３５  ギア
１２０  受光部
１２１  補正部
１２２  部
１２３  ミラー
１２４  受光素子
１３０  回転部
１３１  モーター
１３２  ウォーム
１３３  ウォームホイール
２００  電子機器
４１０  反射部
４２０  平行移動部
４２１  アクチュエータ
４２２  シャフト
【図１】
2017116814.tif 000003
【図２】
2017116814.tif 000004
【図３】
2017116814.tif 000005
【図４】
2017116814.tif 000006
【図５】
2017116814.tif 000007
【図６】
2017116814.tif 000008
【図７】
2017116814.tif 000009
【図８】
2017116814.tif 000010
【図９】
2017116814.tif 000011
【図１０】
2017116814.tif 000012
【図１１】
2017116814.tif 000013
【図１２】
2017116814.tif 000014
【図１３】
2017116814.tif 000015